(57)【要約】【課題】冷蔵室の温度過昇の問題を解決しつつ、冷蔵室用冷却器の確実な除霜ができるようにする。【解決手段】冷凍室用冷却器による冷凍室の冷却運転から冷蔵室用冷却器による冷蔵室の冷却運転への移行を、冷蔵室温センサの検知結果に基づいて行うと共に、そのうちの冷凍室の冷却運転時に冷蔵室用ファンの作動による冷蔵室用冷却器の除霜を行い、その冷蔵室用冷却器の除霜を行ったとき、冷蔵室用冷却器の２箇所の温度を検知する２つの冷蔵室用冷却器温センサの両方又は一方の検知温度が所定温度に達しないことが所定回数あったことを条件に、前記冷凍室用冷却器の除霜を行う際に前記冷蔵室用冷却器除霜ヒータを作動させるようにした。【選択図】図１
2009008281.tif 000002
【特許請求の範囲】
【請求項１】
冷凍室と冷蔵室とを具えると共に、
前記冷凍室の冷却に供する冷凍室用冷却器と、
前記冷蔵室の冷却に供する冷蔵室用冷却器と、
前記冷蔵室の空気を前記冷蔵室用冷却器に接触させて循環させる冷蔵室用ファンと、
前記冷蔵室用冷却器を加熱する冷蔵室用冷却器除霜ヒータと、
前記冷蔵室の温度を検知する冷蔵室温センサと、
前記冷蔵室用冷却器の２箇所の温度を検知する２つの冷蔵室用冷却器温センサとを具え、
前記冷凍室用冷却器による冷凍室の冷却運転から前記冷蔵室用冷却器による冷蔵室の冷却運転への移行を、前記冷蔵室温センサの検知結果に基づいて行うと共に、そのうちの冷凍室の冷却運転時に前記冷蔵室用ファンの作動による前記冷蔵室用冷却器の除霜を行い、
その冷蔵室用冷却器の除霜を行ったとき、前記２つの冷蔵室用冷却器温センサの両方又は一方の検知温度が所定温度に達しないことが所定回数あったことを条件に、前記冷凍室用冷却器の除霜を行う際に前記冷蔵室用冷却器除霜ヒータを作動させるようにしたことを特徴とする冷蔵庫。
【請求項２】
冷凍室と冷蔵室とを具えると共に、
前記冷凍室の冷却に供する冷凍室用冷却器と、
前記冷蔵室の冷却に供する冷蔵室用冷却器と、
前記冷蔵室の空気を前記冷蔵室用冷却器に接触させて循環させる冷蔵室用ファンと、
前記冷蔵室用冷却器を加熱する冷蔵室用冷却器除霜ヒータと、
前記冷蔵室の温度を検知する冷蔵室温センサと、
前記冷蔵室用冷却器の２箇所の温度を検知する２つの冷蔵室用冷却器温センサとを具え、
前記冷凍室用冷却器による冷凍室の冷却運転から前記冷蔵室用冷却器による冷蔵室の冷却運転への移行を、前記冷蔵室温センサの検知結果に基づいて行うと共に、そのうちの冷凍室の冷却運転時に前記冷蔵室用ファンの作動による前記冷蔵室用冷却器の除霜を行い、
その冷蔵室用冷却器の除霜を行ったとき、前記２つの冷蔵室用冷却器温センサの両方又は一方の検知温度が所定温度に達しないことが所定回数あったことを条件に、前記冷蔵室用ファンの作動時に前記冷蔵室用冷却器除霜ヒータを作動させるようにしたことを特徴とする冷蔵庫。
【請求項３】
冷凍室と冷蔵室とを具えると共に、
前記冷凍室の冷却に供する冷凍室用冷却器と、
前記冷蔵室の冷却に供する冷蔵室用冷却器と、
前記冷蔵室の空気を前記冷蔵室用冷却器に接触させて循環させる冷蔵室用ファンと、
前記冷蔵室用冷却器を加熱する冷蔵室用冷却器除霜ヒータと、
前記冷蔵室の温度を検知する冷蔵室温センサと、
前記冷蔵室用冷却器の２箇所の温度を検知する２つの冷蔵室用冷却器温センサとを具え、
前記冷凍室用冷却器による冷凍室の冷却運から前記冷蔵室用冷却器による冷蔵室の冷却運転への移行を、前記冷蔵室温センサの検知結果に基づいて行うと共に、そのうちの冷凍室の冷却運転時に前記冷蔵室用ファンの作動による前記冷蔵室用冷却器の除霜を行い、
その冷蔵室用冷却器の除霜を行ったとき、前記２つの冷蔵室用冷却器温センサの両方又は一方の検知温度が所定温度に達しないことが所定回数あったことを条件に、直後の前記冷凍室用冷却器の除霜を行うときから次回の前記冷凍室用冷却器の除霜を行うときまで前記冷蔵室用ファンの作動時に前記冷蔵室用冷却器除霜ヒータを作動させるようにしたことを特徴とする冷蔵庫。
【請求項４】
冷蔵室用冷却器の除霜を行ったとき、２つの冷蔵室用冷却器温センサの両方又は一方の検知温度が所定温度に達しないことが所定回数あったことを条件にするのに代えて、２つの冷蔵室用冷却器温センサの検知温度差が所定値以上であったことを条件にすることを特徴とする請求項１ないし３のいずれかに記載の冷蔵庫。
【請求項５】
冷蔵室を具えると共に、
前記冷蔵室の冷却に供する冷蔵室用冷却器と、
前記冷蔵室の空気を前記冷蔵室用冷却器に接触させて循環させる冷蔵室用ファンと、
前記冷蔵室用冷却器の上下２箇所の温度を検知する２つの冷蔵室用冷却器温センサとを具え、
前記冷蔵室用冷却器の除霜を、前記冷蔵室用ファンにより前記冷蔵室用冷却器の下方から上方への送風をして行い、
その冷蔵室用冷却器の除霜を行ったとき、前記２つの冷蔵室用冷却器温センサのうち、上方の冷蔵室用冷却器温センサの検知温度が所定温度に達しない場合には、前記冷蔵室用ファンによる送風の方向を反対にするようにしたことを特徴とする冷蔵庫。
【発明の詳細な説明】
【技術分野】
【０００１】
本発明は、冷蔵室用冷却器の除霜を行うについての改良をした冷蔵庫に関する。
【背景技術】
【０００２】
従来より、冷蔵庫においては、冷凍室と冷蔵室とが具えられると共に、冷凍室の冷却に供する冷凍室用冷却器と、冷蔵室の冷却に供する冷蔵室用冷却器と、冷蔵室の空気を冷蔵室用冷却器に接触させて循環させる冷蔵室用ファンと、冷蔵室用冷却器を加熱する冷蔵室用冷却器除霜ヒータと、冷蔵室の温度を検知する冷蔵室温センサと、冷蔵室用冷却器の温度を検知する冷蔵室用冷却器温センサとが具えられ、冷凍室用冷却器による冷凍室の冷却運転から冷蔵室用冷却器による冷蔵室の冷却運転への移行を、冷蔵室用冷却器温センサの検知結果と冷蔵室温センサの検知結果とに基づいて行い、そのうちの冷凍室の冷却運転時に冷蔵室用冷却器除霜ヒータの作動による冷蔵室用冷却器の除霜を行うようにしたものが供されている。
【０００３】
図１１は、そのものの制御態様を示しており、冷凍室用冷却器による冷凍室の冷却運転（Ｆ冷却）時に、冷蔵室用冷却器除霜ヒータを作動（ＯＮ）させて冷蔵室用冷却器の除霜が行われる。すると、冷蔵室用冷却器の温度が上昇することにより、冷蔵室用冷却器温センサの検知温度も上昇し、それが除霜終了温度に達したところで、冷蔵室用冷却器除霜ヒータを停止（ＯＦＦ）させることにより、冷蔵室用冷却器の除霜が終了される。又、このときには、冷凍室用冷却器による冷凍室の冷却運転も終了される。
【０００４】
次いで、冷蔵室用冷却器による冷蔵室の冷却運転が開始され、それによって、冷蔵室用冷却器の温度が下降することにより、冷蔵室の温度が下降し、冷蔵室用冷却器温センサの検知温度も下降する。冷蔵室の温度が所定の温度（冷蔵室冷却終了温度）まで下降すると、それを冷蔵室温センサが検知することにより、冷蔵室用冷却器による冷蔵室の冷却運転が終了され、代わって、前記冷凍室用冷却器による冷凍室の冷却運転が開始されると共に、冷蔵室用冷却器除霜ヒータを作動させて冷蔵室用冷却器の除霜が行われる。
【０００５】
これを繰返して、要するに、冷凍室用冷却器による冷凍室の冷却運転から冷蔵室用冷却器による冷蔵室の冷却運転への移行が、冷蔵室用冷却器温センサの検知結果に基づいて行われ、そのうちの冷凍室の冷却運転時に冷蔵室用冷却器除霜ヒータの作動による冷蔵室用冷却器の除霜が行われる。
【０００６】
しかしながら、このものの場合、冷蔵室用冷却器の除霜の終了が冷蔵室用冷却器温センサの検知温度に基づくものであり、しかも、それまでの冷蔵室用冷却器の除霜が冷蔵室用冷却器除霜ヒータの作動で行われるため、該冷蔵室用冷却器の除霜の終了時点では、冷蔵室の温度が上昇し過ぎて、一般的に冷蔵室の冷却運転に移行すべき温度（冷蔵室冷却要求温度）を超え勝ちであり、冷蔵室のいわゆる温度過昇の問題を有する。
【０００７】
これに対して、冷蔵室用冷却器の除霜の終了を冷蔵室温センサの検知温度に基づいて行うようにすると共に、それまでの冷蔵室用冷却器の除霜を冷蔵室用ファンの作動で行うようにすれば、図１２に示すように、冷蔵室の温度は、上昇が冷蔵室の冷却運転に移行すべき温度（冷蔵室冷却要求温度）までに留められ、温度過昇の問題を解決できる。
しかしながら、その場合には、冷蔵室用冷却器の温度が所定の温度（除霜終了温度）まで上昇せずして、冷蔵室用冷却器の除霜が確実には行われないという問題を呈する。
【０００８】
なお、冷蔵室用冷却器の除霜を充分に行うために、冷蔵室用冷却器の２箇所（入口側と出口側）にそれぞれ冷蔵室用冷却器温センサを設け、その２つの冷蔵室用冷却器温センサがともに所定の温度（除霜終了温度）を検知するまで、冷蔵室用冷却器除霜ヒータを作動させ、検知したところで、該冷蔵室用冷却器除霜ヒータを停止させるように考えられたものがある（例えば特許文献１参照）。
【特許文献１】特開２００４−１９９５０号公報
【発明の開示】
【発明が解決しようとする課題】
【０００９】
上述のごとく考えられたものの場合、２つの冷蔵室用冷却器温センサの働きにより、冷蔵室用冷却器の除霜は確実に（除霜残りを生じないように）行い得るものの、その確実な除霜の終了時点では、冷蔵室の温度が上昇し過ぎることが考えられ、冷蔵室の温度過昇の問題を解決することができない。
【００１０】
本発明は上述の事情に鑑みてなされたものであり、従ってその目的は、冷蔵室の温度過昇の問題を解決しつつ、冷蔵室用冷却器の確実な除霜ができる冷蔵庫を提供するにある。
【課題を解決するための手段】
【００１１】
上記目的を達成するために、本発明の冷蔵庫においては、第１に、冷凍室と冷蔵室とを具えると共に、前記冷凍室の冷却に供する冷凍室用冷却器と、前記冷蔵室の冷却に供する冷蔵室用冷却器と、前記冷蔵室の空気を前記冷蔵室用冷却器に接触させて循環させる冷蔵室用ファンと、前記冷蔵室用冷却器を加熱する冷蔵室用冷却器除霜ヒータと、前記冷蔵室の温度を検知する冷蔵室温センサと、前記冷蔵室用冷却器の２箇所の温度を検知する２つの冷蔵室用冷却器温センサとを具え、前記冷凍室用冷却器による冷凍室の冷却運転から前記冷蔵室用冷却器による冷蔵室の冷却運転への移行を、前記冷蔵室温センサの検知結果に基づいて行うと共に、そのうちの冷凍室の冷却運転時に前記冷蔵室用ファンの作動による前記冷蔵室用冷却器の除霜を行い、その冷蔵室用冷却器の除霜を行ったとき、前記２つの冷蔵室用冷却器温センサの両方又は一方の検知温度が所定温度に達しないことが所定回数あったことを条件に、前記冷凍室用冷却器の除霜を行う際に前記冷蔵室用冷却器除霜ヒータを作動させるようにしたことを特徴とする（請求項１の発明）。
【００１２】
本発明の冷蔵庫においては、第２に、冷凍室と冷蔵室とを具えると共に、前記冷凍室の冷却に供する冷凍室用冷却器と、前記冷蔵室の冷却に供する冷蔵室用冷却器と、前記冷蔵室の空気を前記冷蔵室用冷却器に接触させて循環させる冷蔵室用ファンと、前記冷蔵室用冷却器を加熱する冷蔵室用冷却器除霜ヒータと、前記冷蔵室の温度を検知する冷蔵室温センサと、前記冷蔵室用冷却器の２箇所の温度を検知する２つの冷蔵室用冷却器温センサとを具え、前記冷凍室用冷却器による冷凍室の冷却運転から前記冷蔵室用冷却器による冷蔵室の冷却運転への移行を、前記冷蔵室温センサの検知結果に基づいて行うと共に、そのうちの冷凍室の冷却運転時に前記冷蔵室用ファンの作動による前記冷蔵室用冷却器の除霜を行い、その冷蔵室用冷却器の除霜を行ったとき、前記２つの冷蔵室用冷却器温センサの両方又は一方の検知温度が所定温度に達しないことが所定回数あったことを条件に、前記冷蔵室用ファンの作動時に前記冷蔵室用冷却器除霜ヒータを作動させるようにしたことを特徴とする（請求項２の発明）。
【００１３】
本発明の冷蔵庫においては、第３に、冷凍室と冷蔵室とを具えると共に、前記冷凍室の冷却に供する冷凍室用冷却器と、前記冷蔵室の冷却に供する冷蔵室用冷却器と、前記冷蔵室の空気を前記冷蔵室用冷却器に接触させて循環させる冷蔵室用ファンと、前記冷蔵室用冷却器を加熱する冷蔵室用冷却器除霜ヒータと、前記冷蔵室の温度を検知する冷蔵室温センサと、前記冷蔵室用冷却器の２箇所の温度を検知する２つの冷蔵室用冷却器温センサとを具え、前記冷凍室用冷却器による冷凍室の冷却運転から前記冷蔵室用冷却器による冷蔵室の冷却運転への移行を、前記冷蔵室温センサの検知結果に基づいて行うと共に、そのうちの冷凍室の冷却運転時に前記冷蔵室用ファンの作動による前記冷蔵室用冷却器の除霜を行い、その冷蔵室用冷却器の除霜を行ったとき、前記２つの冷蔵室用冷却器温センサの両方又は一方の検知温度が所定温度に達しないことが所定回数あったことを条件に、直後の前記冷凍室用冷却器の除霜を行うときから次回の前記冷凍室用冷却器の除霜を行うときまで前記冷蔵室用ファンの作動時に前記冷蔵室用冷却器除霜ヒータを作動させるようにしたことを特徴とする（請求項３の発明）。
【００１４】
これらの場合、冷蔵室用冷却器の除霜を行ったとき、２つの冷蔵室用冷却器温センサの両方又は一方の検知温度が所定温度に達しないことが所定回数あったことを条件にするのに代えて、２つの冷蔵室用冷却器温センサの検知温度差が所定値以上であったことを条件にするようにしても良い（請求項４の発明）。
【００１５】
本発明の冷蔵庫は、第４に、冷蔵室を具えると共に、
前記冷蔵室の冷却に供する冷蔵室用冷却器と、
前記冷蔵室の空気を前記冷蔵室用冷却器に接触させて循環させる冷蔵室用ファンと、
前記冷蔵室用冷却器の上下２箇所の温度を検知する２つの冷蔵室用冷却器温センサとを具え、
前記冷蔵室用冷却器の除霜を、前記冷蔵室用ファンにより前記冷蔵室用冷却器の下方から上方への送風をして行い、
その冷蔵室用冷却器の除霜を行ったとき、前記２つの冷蔵室用冷却器温センサのうち、上方の冷蔵室用冷却器温センサの検知温度が所定温度に達しない場合には、前記冷蔵室用ファンによる送風の方向を反対にするようにしたことを特徴とする（請求項５の発明）。
【発明の効果】
【００１６】
上記第１の手段（請求項１の発明）によれば、冷蔵室用冷却器による冷蔵室の冷却運転（冷蔵室用冷却器の除霜の終了）を冷蔵室温センサの検知温度に基づいて行うと共に、それまでの冷蔵室用冷却器の除霜を冷蔵室用ファンの作動で行うのであるから、冷蔵室の温度は、上昇が冷蔵室の冷却運転に移行すべき温度（冷蔵室冷却要求温度）までに留められ、温度過昇の問題を解決できる。
【００１７】
又、その場合、冷蔵室用冷却器の温度が所定の温度（除霜終了温度）まで上昇しないことがあって、２つの冷蔵室用冷却器温センサの両方又は一方の検知温度が所定温度に達しないようになることが考えられるが、そのときには、冷凍室用冷却器の除霜を行う際に冷蔵室用冷却器除霜ヒータを作動させるので、冷蔵室用冷却器の除霜が確実に行われる。しかも、この場合、冷蔵室用冷却器温センサは２つあって、冷蔵室用冷却器の２箇所の温度を検知するから、冷蔵室用冷却器の除霜がより確実に行われる。
【００１８】
第２の手段（請求項２の発明）によっても、冷蔵室用冷却器による冷蔵室の冷却運転（冷蔵室用冷却器の除霜の終了）を冷蔵室温センサの検知温度に基づいて行うと共に、それまでの冷蔵室用冷却器の除霜を冷蔵室用ファンの作動で行うのであるから、冷蔵室の温度は、上昇が冷蔵室の冷却運転に移行すべき温度（冷蔵室冷却要求温度）までに留められ、温度過昇の問題を解決できる。
【００１９】
又、その場合、冷蔵室用冷却器の温度が所定の温度（除霜終了温度）まで上昇しないことがあって、２つの冷蔵室用冷却器温センサの両方又は一方の検知温度が所定温度に達しないようになることが考えられるが、そのときには、冷蔵室用ファンの作動時に冷蔵室用冷却器除霜ヒータを作動させるので、その両方の作用で、冷蔵室用冷却器の除霜が一段と確実に行われる。更に、この場合も、冷蔵室用冷却器温センサは２つあって、冷蔵室用冷却器の２箇所の温度を検知するから、冷蔵室用冷却器の除霜が更に確実に行われる。
【００２０】
第３の手段（請求項３の発明）によっても、冷蔵室用冷却器による冷蔵室の冷却運転（冷蔵室用冷却器の除霜の終了）を冷蔵室温センサの検知温度に基づいて行うと共に、それまでの冷蔵室用冷却器の除霜を冷蔵室用ファンの作動で行うのであるから、冷蔵室の温度は、上昇が冷蔵室の冷却運転に移行すべき温度（冷蔵室冷却要求温度）までに留められ、温度過昇の問題を解決できる。
【００２１】
又、その場合、冷蔵室用冷却器の温度が所定の温度（除霜終了温度）まで上昇しないことがあって、２つの冷蔵室用冷却器温センサの両方又は一方の検知温度が所定温度に達しないようになることが考えられるが、そのときには、直後の冷凍室用冷却器の除霜を行うときから次回の冷凍室用冷却器の除霜を行うときまで冷蔵室用ファンの作動時に冷蔵室用冷却器除霜ヒータを作動させるので、それらの作用で、冷蔵室用冷却器の除霜がより確実に行われる。
【００２２】
しかも、この冷蔵室用冷却器除霜ヒータの作動を、２つの冷蔵室用冷却器温センサの両方又は一方の検知温度が所定温度に達しないことが発生した直後の冷凍室用冷却器の除霜を行うときから、次回の冷凍室用冷却器の除霜を行うときまでに留めることにより、冷蔵室用ファンの作動と併せた冷蔵室用冷却器除霜ヒータの作動による冷蔵室用冷却器の除霜を限定的に行って、冷蔵室の冷却が疎かにならないようにもできる。
更に、この場合も、冷蔵室用冷却器温センサは２つあって、冷蔵室用冷却器の２箇所の温度を検知するから、冷蔵室用冷却器の除霜が更に確実に行われる。
【００２３】
又、それらの場合、冷蔵室用冷却器の除霜を行ったとき、２つの冷蔵室用冷却器温センサの両方又は一方の検知温度が所定温度に達しないことが所定回数あったことを条件にするのに代えて、２つの冷蔵室用冷却器温センサの検知温度差が所定値以上であったことを条件にするようにしたもの（請求項４の発明）でも、それぞれ同様の効果が得られる。
【００２４】
第４の手段（請求項５の発明）によれば、冷蔵室用冷却器の除霜を、冷蔵室用ファンにより冷蔵室用冷却器の下方から上方への送風をして行うことにより、冷蔵室を冷却して温度上昇した空気を冷蔵室用冷却器に下部から上部へと接触させて、冷蔵室用冷却器の除霜が下部から上部へとできる。この場合、それによって冷蔵室用冷却器の上部に霜が残るようであれば、上方の冷蔵室用冷却器温センサの検知温度が所定温度に達しない状況になるので、その場合には、冷蔵室用ファンによる送風の方向を反対にすることで、冷蔵室を冷却して温度上昇した空気を冷蔵室用冷却器に上部から下部へと接触させて、冷蔵室用冷却器の除霜が上部から下部へとできるようになるので、それにより、冷蔵室用冷却器の除霜が確実に行われる。
【００２５】
しかも、この場合、冷蔵室用冷却器の確実な除霜が送風方向の反転でできるので、冷蔵室用冷却器による冷蔵室の冷却運転（冷蔵室用冷却器の除霜の終了）は、冷蔵室用冷却器温センサの検知結果に頼らず、冷蔵室温センサの検知温度に基づいて行い得るものであり、それによって、冷蔵室の温度の上昇を冷蔵室の冷却運転に移行すべき温度（冷蔵室冷却要求温度）までに留め得、冷蔵室の温度過昇の問題を解決できる。
【発明を実施するための最良の形態】
【００２６】
以下、本発明の第１実施例（第１の実施形態）につき、図１ないし図７を参照して説明する。
まず、図５には、冷蔵庫の全体構成を示しており、本体キャビネット１の内部を、上下３つの中間仕切壁２，３，４によって、上より順に冷蔵室５、仕様切替室６、野菜室７、及び冷凍室８に分けている。
【００２７】
冷蔵室５には、棚９を複数段設けると共に、それらの下方に容器１０を設けており、仕様切替室６には容器１１を設けている。そのほか、野菜室７には容器１２，１３を上下に設けており、冷凍室８にも容器１４，１５を上下に設けている。
仕様切替室６から野菜室７にかけての奥部には、前後２つの隔壁１６，１７によって２つの冷却器室１８，１９を設けており、そのうち前側の冷却器室１８に冷蔵室用冷却器２０と冷蔵室用ファン２１とを配設し、後側の冷却器室１９に冷凍室用冷却器２２と冷凍室用ファン２３とを配設している。
【００２８】
冷蔵室用冷却器２０は冷蔵室５と冷蔵仕様時の仕様切替室６及び野菜室７の冷却に供するもので、冷蔵室用ファン２１は冷蔵室５と冷蔵仕様時の仕様切替室６及び野菜室７の空気を冷蔵室用冷却器２０に接触させて図５に矢印で示すごとく循環させるようになっており、特に、冷蔵室用冷却器２０に対しては、それの下方から上方へ送風するようになっている。
【００２９】
一方、冷凍室用冷却器２２は冷凍室８と冷凍仕様時の仕様切替室６の冷却に供するもので、冷凍室用ファン２３は冷凍室８と冷凍仕様時の仕様切替室６の空気を冷凍室用冷却器２２に接触させて同じく図５に矢印で示すごとく循環させるようになっている。
又、冷蔵室５の空気循環経路中、冷蔵室５の入口部分には、冷蔵室５の温度を検知する冷蔵室温センサ２４を配設しており、冷凍室８の空気循環経路中、冷凍室８の入口部分には、冷凍室８の温度を検知する冷凍室温センサ２５を配設している。
【００３０】
冷蔵室用冷却器２０には、それを加熱する例えばアルミ箔付きヒータから成る冷蔵室用冷却器除霜ヒータ２６を付設しており、冷凍室用冷却器２２には、それを加熱する例えばパイプヒータから成る冷凍室用冷却器除霜ヒータ２７を付設している。又、冷蔵室用冷却器２０には、それの２箇所例えば上部と下部の温度を検知する第１及び第２の、２つの冷蔵室用冷却器温センサ２８，２９を付設しており、冷凍室用冷却器２２には、それの例えば上部の温度を検知する冷凍室用冷却器温センサ３０を付設している。
【００３１】
このほか、本体キャビネット１には、冷蔵室５、仕様切替室６、野菜室７、及び冷凍室８のそれぞれ前面の開口部を開閉する扉３１，３２，３３，３４を枢設しており、そのうちの冷蔵室５の開口部を開閉する扉３１には、裏側にポケット３５を複数段設けている。
【００３２】
又、本体キャビネット１の背下部には機械室３６を形成しており、この機械室３６には圧縮機３７を配設している。図６には、圧縮機３７を主体とする冷凍サイクル３８を示しており、この冷凍サイクル３８においては、圧縮機３７の吐出部３７ａから凝縮器３９を介して冷媒流路切替器である三方弁４０の入口部４０ａを接続している。そして、三方弁４０の一方の出口部４０ｂを、冷凍用の絞り器である第１のキャピラリチューブ４１、冷凍室用冷却器２２、及びアキュムレータ４２を順に介し、三方弁４０の他方の出口部４０ｃを、冷蔵用の絞り器である第２のキャピラリチューブ４３、及び冷蔵室用冷却器２０を順に介して、ともに圧縮機３７の吸込部３７ｂに接続している。
【００３３】
図７は、上記冷蔵庫の作動全般を制御する制御手段である制御装置４４を示している。この制御装置４４は例えばマイクロコンピュータから成るもので、図示しない操作パネルが有した各種操作スイッチから成る操作入力部４５より各種操作信号が入力されると共に、前記冷蔵室温センサ２４、冷凍室温センサ２５、第１の冷蔵室用冷却器温センサ２８、第２の冷蔵室用冷却器温センサ２９、及び冷凍室用冷却器温センサ３０から、それぞれ温度検知信号が入力されるようになっている。
【００３４】
そして、制御装置４４は、それらの入力並びにあらかじめ記憶された制御プログラムに基づいて、前記冷蔵室用ファン２１と、冷凍室用ファン２３、冷蔵室用冷却器除霜ヒータ２６、冷凍室用冷却器除霜ヒータ２７、圧縮機３７、三方弁４０を、駆動回路４６を介して制御するようになっている。
【００３５】
次に、上記構成のものの作用を述べる。
図２ないし図４は、制御装置４４の制御内容を表している。そのうち、まず図２に示すように、制御装置４４の作動が開始（スタート）されると、「Ｆ冷却」が行われる（ステップＳ１）。この「Ｆ冷却」は、冷凍室８と冷凍仕様時の仕様切替室６を冷却する運転で、具体的には、圧縮機３７を駆動した状態で、三方弁４０の一方の出口部４０ｂを開放させる（他方の出口部４０ｃを閉塞させる）と共に、冷凍室用ファン２３を駆動して行われる。
【００３６】
これにより、冷凍サイクル３８では、圧縮機３７で圧縮されて凝縮器３９で凝縮された冷媒が第１のキャピラリチューブ４１を通り、冷凍室用冷却器２２で蒸発されてアキュムレータ４２を経、圧縮機３７に帰還するサイクルを繰返し、それによって、冷凍室用冷却器２２が低温化する。又、このとき、冷凍室用ファン２３は、冷凍室８と冷凍仕様時の仕様切替室６の空気を冷凍室用冷却器２２に接触させて循環させるので、冷凍室８と冷凍仕様時の仕様切替室６が冷却される。
【００３７】
そして又、このときには「Ｒファン駆動」をする（ステップＳ２）。「Ｒファン」は冷蔵室用ファン２１であり、それの駆動によって、冷蔵室５と冷蔵仕様時の仕様切替室６及び野菜室７の空気が、冷蔵室用冷却器２０に接触しつつ循環される。
【００３８】
次いで、「ＲＤセンサ１」と「ＲＤセンサ２」がともに所定温度に達したか否かの判断をする（ステップＳ３）。「ＲＤセンサ１」は第１の冷蔵室用冷却器温センサ２８であり、「ＲＤセンサ２」は第２の冷蔵室用冷却器温センサ２９であって、「所定温度」は除霜終了温度である。このステップＳ３で、「ＲＤセンサ１」と「ＲＤセンサ２」がともに「所定温度」に達した（ＹＥＳ：冷蔵室用冷却器の温度が２箇所で除霜終了温度に達した）と判断されれば、次に、「Ｒファン」（冷蔵室用ファン２１）を停止させる（ステップＳ４）。これにより、冷蔵室５と冷蔵仕様時の仕様切替室６及び野菜室７の空気の、冷蔵室用冷却器２０に接触しながらの循環が停止される。
【００３９】
その後、経過時間の積算をし（ステップＳ５）、更に、その積算時間が「所定時間」に達したか否かの判断をする（ステップＳ６）。このステップＳ６での「所定時間」は、冷凍室用冷却器２２の除霜開始までの積算到達時間である。ここで、積算時間が所定時間に達していない（ＮＯ：冷凍室用冷却器２２の除霜開始までの積算到達時間に達していない）と判断されれば、「Ｆ冷却」を終了して良いか否かの判断をする（ステップＳ７）。
【００４０】
「Ｆ冷却」を終了して良いか否かの判断は、冷凍室温センサ２５で検知した冷凍室８の温度が冷却終了の温度まで降下したか否か、又は所定時間（後述する「Ｒ冷却」に移るべき時間であって、例えば３０分）が経過したか否かの判断をするもので、ＮＯと判断されれば、次に、「Ｒ冷却要求温度」になったか否かの判断をする（ステップＳ８）。
【００４１】
「Ｒ」は冷蔵室であり、「Ｒ冷却要求温度」は冷蔵室温センサ２４で温度が検知される冷蔵室５の冷却を要求される温度である。このステップＳ８で、「Ｒ室冷却要求温度」になっていない（ＮＯ：冷蔵室温センサ２４で温度が検知される冷蔵室５の温度が、冷蔵室５の冷却を要求される温度にまで上昇していない）と判断されれば、ステップＳ７に戻る。
【００４２】
ステップＳ７で「Ｆ冷却」を終了して良い（ＹＥＳ：冷凍室用冷却器温センサ３０で検知した冷凍室用冷却器２２の温度が冷却終了の温度まで降下したか、又は所定の時間が経過した）と判断されるか、又はステップＳ８で「Ｒ室冷却要求温度」になった（ＹＥＳ：冷蔵室温センサ２４で温度が検知される冷蔵室５の温度が、冷蔵室５の冷却を要求される温度にまで上昇した）と判断されれば、「Ｆ冷却」を終了する（ステップＳ９）。この場合、「Ｆ冷却」を終了は、冷凍室用ファン２３を停止させることである。
【００４３】
次いで、「Ｒ冷却」が行われる（ステップＳ１０）。「Ｒ冷却」は、冷蔵室５と冷凍仕様時の仕様切替室６及び野菜室７を冷却する運転で、具体的には、圧縮機３７を駆動した状態で、三方弁４０の他方の出口部４０ｃを開放させ（一方の出口部４０ｂを閉塞させ）ると共に、冷蔵室用ファン２１を駆動して行われる。
【００４４】
これにより、冷凍サイクル３８では、圧縮機３７で圧縮されて凝縮器３９で凝縮された冷媒が第２のキャピラリチューブ４３を通り、冷蔵室用冷却器２０で蒸発されて圧縮機３７に帰還するサイクルを繰返し、それによって、冷蔵室用冷却器２０が低温化する。又、このとき、冷蔵室用ファン２１は、冷蔵室５と冷凍仕様時の仕様切替室６及び野菜室７の空気を冷蔵室用冷却器２０に接触させて循環させるので、冷蔵室５と冷凍仕様時の仕様切替室６及び野菜室７が冷却される。
【００４５】
その後、「Ｒ冷却」を終了して良いか否かの判断をする（ステップＳ１１）。「Ｒ冷却」を終了して良いか否かの判断は、冷蔵室温センサ２４で検知した冷蔵室５の温度が冷却終了の温度まで降下したか否か、又は所定の時間が経過したか否かの判断をするもので、ＮＯと判断されれば、ステップＳ１１を繰返し、ＹＥＳと判断されれば、ステップＳ１に戻る。
【００４６】
戻ったステップＳ１の次のステップＳ２における「Ｒファン駆動」では、「Ｆ冷却」をしながら（圧縮機３７を駆動した状態で、三方弁４０の一方の出口部４０ｂを閉塞させ、代わって他方の出口部４０ｃを開放させることにより冷蔵室用冷却器２０の冷却を停止、すなわち冷蔵室５の冷却を停止しながら）、冷蔵室５と冷蔵仕様時の仕様切替室６及び野菜室７の空気が、冷蔵室用冷却器２０に接触しつつ循環されることにより、冷蔵室用冷却器２０の除霜が行われる。又、このときに、冷蔵室５と冷凍仕様時の仕様切替室６及び野菜室７には、冷蔵室用冷却器２０の除霜で適度な湿気を帯びた空気が供給されることになるので、適度な潤いが与えられる。
【００４７】
以後、上記ステップＳ１〜Ｓ１１を繰返すことにより、冷凍室用冷却器２２による冷凍室８の冷却運転から冷蔵室用冷却器２０による冷蔵室５の冷却運転への移行が、冷蔵室温センサ２４の検知結果に基づいて行われると共に、そのうちの冷凍室８の冷却運転時に冷蔵室用ファン２１の作動による冷蔵室用冷却器２０の除霜が行われる。図１の初期部分（図で左端側部分）は、このような運転を表している。
【００４８】
さて、上述のように運転するうち、ステップＳ３で、「ＲＤセンサ１」と「ＲＤセンサ２」がともには「所定温度」に達していない（ＮＯ：冷蔵室用冷却器の温度が２箇所又は１箇所で除霜終了温度に達していない：図１の二点鎖線で囲った部分）と判断されれば、次に、ステップＳ５と同じく経過時間の積算をし（ステップＳ１２）、更に、ステップＳ６と同じくその積算時間が「所定時間」（冷凍室用冷却器２２の除霜開始までの積算到達時間）に達したか否かの判断をする（ステップＳ１３）。
【００４９】
このステップＳ１３でも、積算時間が所定時間に達していない（ＮＯ）と判断されれば、次に、「Ｒ冷却要求温度」になったか否か、又は「Ｆ冷却」が所定時間（「Ｒ冷却」に移るべき時間であって、例えば３０分）を経過したか否かの判断をし（ステップＳ１４）、ＮＯと判断されれば、ステップＳ３に戻る。それに対して、ステップＳ１４でＹＥＳと判断されれば、ステップＳ９と同じく「Ｆ冷却」を終了する（ステップＳ１５）。
その後、ステップＳ３で「ＲＤセンサ１」と「ＲＤセンサ２」がともには「所定温度」に達していない（ＮＯ）と判断された回数のカウントをし（ステップＳ１６）、ステップＳ１０に進む。
【００５０】
そして、ステップＳ６又はステップＳ１３で、積算時間が所定時間に達した（ＹＥＳ）と判断されれば、次に、図３に示すように、プリクールが行われる（ステップＳ１７）。このプリクールは、次に行われる「Ｆ除霜」（ステップＳ１８）で冷凍室８の温度が通常の冷凍温度（例えば−２２〔℃〕）より上がらないように、冷凍室８の温度を通常の冷凍温度より更に低く（例えば−２４〔℃〕に）するもので、圧縮機３７を通常より高速で駆動することで行われる。
【００５１】
この後、「Ｆ除霜」が行われるもので（ステップＳ１８：図１の斜線部分）、「Ｆ除霜」は冷凍室用冷却器２２の除霜をすることであり、それが、圧縮機３７を停止させた状態で、冷凍室用冷却器除霜ヒータ２７を作動（発熱）させることにより行われる。
次いで、ステップＳ１６でカウントした回数が所定回数に達したか否かの判断をし（ステップＳ１９）、所定回数に達していない（ＮＯ）と判断されれば、Ｆエバ（冷凍室用冷却器２２）が除霜を終了すべき温度に達したか否かの判断をする（ステップＳ２０）。
【００５２】
ステップＳ２０で、なっていない（ＮＯ）と判断されれば、ステップＳ２０を繰返し、なった（ＹＥＳ）と判断されれば、Ｆ除霜を終了（冷凍室用冷却器除霜ヒータ２７を停止）して（ステップＳ２１）、ステップＳ１に進む。
一方、ステップＳ１９で、所定回数に達した（ＹＥＳ）と判断されれば、ＲＤヒータを作動（発熱）させる（ステップＳ２２）。ＲＤヒータは冷蔵室用冷却器除霜ヒータ２６であり、それの作動で冷蔵室用冷却器２０の強力除霜が行われる。
【００５３】
その後、ステップＳ２０と同じく、Ｆエバ（冷凍室用冷却器２２）が除霜を終了すべき温度に達したか否かの判断をし（ステップＳ２３）、このステップＳ２３でも、なっていない（ＮＯ）と判断されれば、ステップＳ２３を繰返す。ステップＳ２３で、なった（ＹＥＳ）と判断されれば、ステップＳ２１と同じくＦ除霜を終了して（ステップＳ２４）、次にこの場合は、図４に示すように、ステップＳ１と同じ「Ｆ冷却」が行われる（ステップＳ２５）。
【００５４】
この後、ステップＳ２と同じく「Ｒファン駆動」をし（ステップＳ２６）、このとき、ＲＤヒータの作動を停止させていないので、冷蔵室用ファン２１の作動と併せて冷蔵室用冷却器除霜ヒータ２６を作動させる。これにより、冷蔵室用冷却器２０の一層強力な除霜が行われる（図１の斜線部分より右側）。
【００５５】
次いで、ステップＳ３と同じく「ＲＤセンサ１」と「ＲＤセンサ２」がともに所定温度に達したか否かの判断をする（ステップＳ２７）。このステップＳ２７で、「ＲＤセンサ１」と「ＲＤセンサ２」がともには「所定温度」に達していない（ＮＯ）と判断されれば、次に、ステップＳ５と同じく経過時間の積算をし（ステップＳ２８）、更に、ステップＳ６と同じくその積算時間が「所定時間」（冷凍室用冷却器２２の除霜開始までの積算到達時間）に達したか否かの判断をする（ステップＳ２９）。
【００５６】
ステップＳ２９で、積算時間が所定時間に達していない（ＮＯ）と判断されれば、ステップＳ２７に戻り、戻ったステップＳ２７で、「ＲＤセンサ１」と「ＲＤセンサ２」がともに所定温度に達した（ＹＥＳ）と判断されれば、ＲＤヒータ（冷蔵室用冷却器除霜ヒータ２６）の作動を停止する（ステップＳ３０）。
【００５７】
そして、ステップＳ１０と同じく「Ｒ冷却」が行われる（ステップＳ３１）、その後、ステップＳ１１と同じく「Ｒ冷却」を終了して良いか否かの判断をし（ステップＳ３２）、終了してはいけない（ＮＯ）と判断されれば、ステップＳ３２を繰返し、終了して良い（ＹＥＳ）と判断されれば、ステップＳ２５に戻る。すなわち、先のＦ除霜（ステップＳ１８）後は、冷蔵室用ファン２１の作動と冷蔵室用冷却器除霜ヒータ２６の作動とによる冷蔵室用冷却器２０の除霜を伴う、冷凍室用冷却器２２による冷凍室８の冷却運転から、冷蔵室用冷却器２０による冷蔵室５の冷却運転への移行が、第１の冷蔵室用冷却器温センサ２８（ＲＤセンサ１）と第２の冷蔵室用冷却器温センサ２９（ＲＤセンサ２）の検知結果に基づいて行われる。
【００５８】
それに対し、ステップＳ２９で、積算時間が所定時間に達した（ＹＥＳ）と判断されれば、ステップＳ１７に進む。そして、その進んだ先のステップＳ１９では、この場合、所定回数に達していない（ＮＯ）と判断されるので、ステップＳ２０、Ｓ２１を経てステップＳ１に進み、すなわち、当初の運転状態に戻る。
【００５９】
このように本構成のものでは、冷凍室用冷却器２２による冷凍室８の冷却運転から冷蔵室用冷却器２０による冷蔵室５の冷却運転への移行を、冷蔵室温センサ２４の検知結果に基づいて行う（ステップＳ８〜Ｓ１０）と共に、そのうちの冷凍室８の冷却運転時に冷蔵室用ファン２１の作動による冷蔵室用冷却器２０の除霜を行い（ステップＳ２）、その冷蔵室用冷却器２０の除霜を行ったとき、冷蔵室用冷却器２０の２箇所の温度を検知する２つの冷蔵室用冷却器温センサ２８，２９の両方又は一方の検知温度が所定温度に達しないことが所定回数あったこと（ステップＳ１９でＹＥＳ）を条件に、冷凍室用冷却器２２の除霜を行う際に冷蔵室用冷却器除霜ヒータ２６を作動させるようにしている（ステップＳ２２）。
【００６０】
それにより、冷蔵室用冷却器２０による冷蔵室５の冷却運転（冷蔵室用冷却器２０の除霜の終了）は、冷蔵室温センサの検知温度に基づいて行い、それまでの冷蔵室用冷却器２０の除霜は冷蔵室用ファン２１の作動で行うのであるから、冷蔵室５の温度は、上昇が冷蔵室５の冷却運転に移行すべき温度（冷蔵室冷却要求温度）までに留められ、温度過昇の問題を解決できる。
【００６１】
又、その場合、冷蔵室用冷却器２０の温度が所定の温度（除霜終了温度）まで上昇しないことがあって、冷蔵室用冷却器２０の２箇所の温度を検知する２つの冷蔵室用冷却器温センサ２８，２９の両方又は一方の検知温度が所定温度に達しないようになることがあるが、それが所定回数あれば（ステップＳ１９でＹＥＳ）、冷凍室用冷却器２２の除霜を行う際に冷蔵室用冷却器除霜ヒータ２６を作動させるので、冷蔵室用冷却器２０の除霜が確実に行われる。しかも、この場合、冷蔵室用冷却器温センサ２８，２９は冷蔵室用冷却器２０の２箇所の温度を検知するから、冷蔵室用冷却器２０の除霜を、除霜残りなく、より確実に行うことができる。
【００６２】
また、本構成のものでは、上述のように冷蔵室用冷却器２０の除霜を行ったとき、２つの冷蔵室用冷却器温センサ２８，２９の両方又は一方の検知温度が所定温度に達しないことが所定回数あったこと（ステップＳ１９でＹＥＳ）を条件に、冷蔵室用ファン２１の作動（ステップＳ２６）時に冷蔵室用冷却器除霜ヒータ２６を作動させるようにしている（ステップＳ２２）。
【００６３】
これにより、冷蔵室５の温度過昇の問題を解決しつつ、冷蔵室用ファン２１の作動時に冷蔵室用冷却器除霜ヒータ２６を作動させることによる両方の作用で、冷蔵室用冷却器２０の除霜を一段と確実に行うことができる。もちろん、この場合も、冷蔵室用冷却器温センサ２８，２９は冷蔵室用冷却器２０の２箇所の温度を検知するから、冷蔵室用冷却器２０の除霜を、除霜残りなく、より確実に行うことができる。
【００６４】
更に、本構成のものでは、同じく、上述のように冷蔵室用冷却器２０の除霜を行ったとき、２つの冷蔵室用冷却器温センサ２８，２９の両方又は一方の検知温度が所定温度に達しないことが所定回数あったこと（ステップＳ１９でＹＥＳ）を条件に、直後の冷凍室用冷却器２２の除霜を行うとき（ステップＳ１３でＹＥＳの後のステップＳ１８）から次回の冷凍室用冷却器２２の除霜を行うとき（ステップＳ２９でＹＥＳの後のステップＳ１８）まで冷蔵室用ファン２１の作動時に冷蔵室用冷却器除霜ヒータ２６を作動させるようにしている（ステップＳ２２）。
【００６５】
これにより、冷蔵室５の温度過昇の問題を解決しつつ、冷蔵室用ファン２１の作動時に冷蔵室用冷却器除霜ヒータ２６を作動させることによる両方の作用で、冷蔵室用冷却器２０の除霜を一段と確実に行うことができる。もちろん、この場合も、冷蔵室用冷却器温センサ２８，２９は冷蔵室用冷却器２０の２箇所の温度を検知するから、冷蔵室用冷却器２０の除霜を、除霜残りなく、より確実に行うことができる。
【００６６】
又、特にこの場合、冷蔵室用冷却器除霜ヒータ２６の作動を、２つの冷蔵室用冷却器温センサ２８，２９の両方又は一方の検知温度が所定温度に達しないことが発生した直後の冷凍室用冷却器２２の除霜を行うときから、次回の冷凍室用冷却器２２の除霜を行うときまでに留めることにより、冷蔵室用ファン２１の作動と併せた冷蔵室用冷却器除霜ヒータ２６の作動による冷蔵室用冷却器２０の除霜を限定的に行って、冷蔵室５の冷却が疎かにならないようにもできる。
【００６７】
なお、上述のように、冷蔵室用冷却器２０の除霜を行ったとき、２つの冷蔵室用冷却器温センサ２８，２９の両方又は一方の検知温度が所定温度に達しないことが所定回数あったことを条件にするのに代えて、２つの冷蔵室用冷却器温センサ２８，２９の検知温度差（図１に示す温度差Ｄ）が所定値以上であったことを条件にするようにしても良い。このようにしても、２つの冷蔵室用冷却器温センサ２８，２９の検知温度差で、冷蔵室用冷却器２０の除霜が確実になされていないことの検知ができるので、それをもとにそれぞれ上述同様の作用にて、上述同様の効果を得ることができる。
【００６８】
以上に対して、図８ないし図１０は本発明の第２実施例（第２の実施形態）を示すもので、第１実施例と同一の部分には同一の符号を付して説明を省略し、異なる部分についてのみ述べる。
【００６９】
このものの場合、冷蔵室用冷却器２０の除霜を、通常は、図８に矢印で示すように、冷蔵室用ファン２１によって冷蔵室用冷却器２０の下方から上方への送風をして行うのに対して、図９に示すように、ステップＳ３又はＳ２７で、「ＲＤセンサ１」と「ＲＤセンサ２」がともには「所定温度」に達していない（ＮＯ）と判断されたときに、「ＲＤセンサ１」が所定温度に達していないのか否かの判断をする（ステップＳ１０１）。
【００７０】
そして、ステップＳ１０１でＮＯと判断されれば、ステップＳ１２又はＳ２８へと進むが、ＹＥＳと判断されれば、冷蔵室用ファン２１を逆転させて、該冷蔵室用ファン２１による送風の方向を反対にするようにしている（ステップＳ１０２）。すなわち、図１０に矢印で示すように、それまでとは反対に、冷蔵室用冷却器２０の上方から下方への送風をして冷蔵室用冷却器２０の除霜を行う。そして、その後、ステップＳ１２又はＳ２８へと進む。
【００７１】
このものでは、通常は、冷蔵室用冷却器２０の除霜を、冷蔵室用ファン２１により冷蔵室用冷却器２０の下方から上方への送風をして行うことにより、冷蔵室５を冷却して温度上昇した空気を冷蔵室用冷却器２０に下部から上部へと接触させて、冷蔵室用冷却器２０の除霜が下部から上部へとできる。この場合、それによって冷蔵室用冷却器２０の上部に霜が残るようであれば、上方の冷蔵室用冷却器温センサ２８の検知温度が所定温度に達しない状況になることにより、冷蔵室用ファン２１による送風の方向を反対にすることで、冷蔵室５を冷却して温度上昇した空気を冷蔵室用冷却器２０に上部から下部へと接触させて、冷蔵室用冷却器２０の除霜が上部から下部へとできるようになるので、それにより、冷蔵室用冷却器２０の除霜を確実に行うことができる。
【００７２】
しかも、この場合、冷蔵室用冷却器２０の確実な除霜が送風方向の反転でできるので、冷蔵室用冷却器２０による冷蔵室５の冷却運転（冷蔵室用冷却器２０の除霜の終了）は、冷蔵室用冷却器温センサ２８，２９の検知結果に頼らず、冷蔵室温センサ２４の検知温度に基づいて行い得るものであり、それによって、冷蔵室５の温度の上昇を冷蔵室５の冷却運転に移行すべき温度（冷蔵室５の冷却要求温度）までに留め得、冷蔵室５の温度過昇の問題を解決できる。
【００７３】
なお、本発明は上記し且つ図面に示した各実施例に限定されるものではなく、特に、仕様切替室や野菜室の有無その他の点につき、要旨を逸脱しない範囲内で適宜変更して実施し得る。
【図面の簡単な説明】
【００７４】
【図１】本発明の第１実施例を示すタイムチャート
【図２】作用を説明するためのフローチャートその１
【図３】作用を説明するためのフローチャートその２
【図４】作用を説明するためのフローチャートその３
【図５】冷蔵庫全体の縦断側面図
【図６】冷凍サイクルの概略構成図
【図７】電気的構成のブロック図
【図８】本発明の第２実施例を示す図５部分相当図
【図９】作用を説明するための部分フローチャート
【図１０】図８とは状態の異なる図５部分相当図
【図１１】従来例を示す図１相当図
【図１２】異なる従来例を示す図１相当図
【符号の説明】
【００７５】
図面中、５は冷蔵室、８は冷凍室、２０は冷蔵室用冷却器、２１は冷蔵室用ファン、２２は冷凍室用冷却器、２４は冷蔵室温センサ、２６は冷蔵室用冷却器除霜ヒータ、２８は第１の冷蔵室用冷却器温センサ、２９は第２の冷蔵室用冷却器温センサ、４４は制御装置（制御手段）を示す。
【図１】
2009008281.tif 000003
【図２】
2009008281.tif 000004
【図３】
2009008281.tif 000005
【図４】
2009008281.tif 000006
【図５】
2009008281.tif 000007
【図６】
2009008281.tif 000008
【図７】
2009008281.tif 000009
【図８】
2009008281.tif 000010
【図９】
2009008281.tif 000011
【図１０】
2009008281.tif 000012
【図１１】
2009008281.tif 000013
【図１２】
2009008281.tif 000014